【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示可能な複数の可変表示部を含む可変表示手段を備え、可変表示の開始条件の成立にもとづいて前記複数種類の識別情報の可変表示を開始し、当該複数種類の識別情報の可変表示の表示結果が特定表示結果となったときに遊技者にとって有利な特定遊技状態に制御可能な遊技機であって、
遊技の進行を制御する遊技制御手段と、
前記遊技制御手段から送信された表示制御コマンドに従って前記可変表示手段の表示状態を制御する表示制御手段とを備え、
前記遊技制御手段は、
前記特定表示結果とするか否かを決定する事前決定手段と、
前記事前決定手段による決定結果にもとづいて第１可変表示演出態様および第１可変表示演出態様とは異なる第２可変表示演出態様を含む可変表示演出態様のうちから一の可変表示演出態様を選択する可変表示演出態様選択手段と、
前記事前決定手段の決定結果と前記可変表示演出態様選択手段が選択した可変表示演出態様とを認識可能な情報を前記表示制御コマンドにより送信する表示制御コマンド送信手段とを含み、
前記表示制御手段は、
前記表示制御コマンドを受信する表示制御コマンド受信手段と、
前記表示制御コマンド受信手段が受信した前記表示制御コマンドにもとづいて、前記可変表示手段に識別情報の可変表示を行わせる可変表示制御手段と、
前記可変表示手段に表示される所定の特典画像の数をカウントする特典カウンタと、
前記特典カウンタのカウント値を特定可能に報知するカウント報知手段と、
前記特典カウンタのカウント値と前記表示制御コマンド受信手段が受信した前記表示制御コマンドとにもとづいて、前記特典カウンタの値を増加、減少または維持させるかを選択するカウンタ値更新選択手段と、
前記可変表示手段において前記カウンタ値更新選択手段による前記特典カウンタの値の増加、減少または維持を報知する演出を行う報知演出手段とを含み、
前記可変表示演出態様選択手段は、前記第２可変表示演出態様にもとづいて識別情報の可変表示が行われたときと比較して、前記第１可変表示演出態様にもとづいて識別情報の可変表示が行われたときの方が高確率で前記特定表示結果となるように、決定用データが前記第１可変表示演出態様と前記第２可変表示演出態様とに割り振られている決定用データテーブルを用いて、前記可変表示演出態様を選択し、
前記カウンタ値更新選択手段は、
複数の可変表示部における識別情報の組み合わせが前記特定表示結果の一部を構成しているが少なくとも一部の可変表示部において識別情報が可変表示中であるリーチ態様の識別情報の可変表示が行われるときに、前記特典カウンタの値を増加させることを選択可能であり、
前記事前決定手段が前記特定表示結果としないことに決定して前記第１可変表示演出態様にもとづく識別情報の可変表示が行われるときには、前記事前決定手段が前記特定表示結果としないことに決定して前記第２可変表示演出態様にもとづく識別情報の可変表示が行われるときに比べて、高い割合で前記特典カウンタの値を減少させることを選択する
ことを特徴とする遊技機。
【手続補正２】
【補正対象書類名】明細書
【補正対象項目名】００１２
【補正方法】変更
【補正の内容】
【００１２】
本発明による遊技機は、各々を識別可能な複数種類の識別情報（例えば特別図柄）を可変表示可能な複数の可変表示部を含む可変表示手段（例えば可変表示装置９）を備え、可変表示の開始条件（例えば特別図柄の最終停止および大当り遊技の終了後で、保留記憶が１つ以上あること）の成立にもとづいて複数種類の識別情報の可変表示を開始し、当該複数種類の識別情報の可変表示の表示結果が特定表示結果（例えば大当り図柄）となったときに遊技者にとって有利な特定遊技状態（例えば大当り遊技状態）に制御可能な遊技機であって、遊技の進行を制御する遊技制御手段（例えばＣＰＵ５６を含む遊技制御用マイクロコンピュータ）と、遊技制御手段から送信された表示制御コマンドに従って可変表示手段の表示状態を制御する表示制御手段（例えば演出制御用ＣＰＵ１０１を含む演出制御用マイクロコンピュータとＧＣＬ１０６）とを備え、遊技制御手段が、特定表示結果とするか否かを決定する事前決定手段（例えば、遊技制御手段におけるステップＳ５６の判定にもとづいてステップＳ６２，Ｓ６６，Ｓ６７，Ｓ６４の処理を実行する部分）と、事前決定手段による決定結果にもとづいて第１可変表示演出態様（例えばスーパーリーチＡ）および第１可変表示演出態様とは異なる第２可変表示演出態様（例えばスーパーリーチＢ）を含む可変表示演出態様のうちから一の可変表示演出態様を選択する可変表示演出態様選択手段（例えば遊技制御手段におけるステップＳ３０２の変動パターン設定処理を実行する部分）と、事前決定手段の決定結果と可変表示演出態様選択手段が選択した可変表示演出態様とを認識可能な情報を表示制御コマンドにより送信する表示制御コマンド送信手段（例えば遊技制御手段にけるステップＳ２７の特別図柄コマンド制御処理を実行する部分）とを含み、表示制御手段が、表示制御コマンドを受信する表示制御コマンド受信手段（例えば、演出制御手段におけるステップＳ７０４のコマンド解析処理を実行する部分）と、表示制御コマンド受信手段が受信した表示制御コマンドにもとづいて、可変表示手段に識別情報の可変表示を行わせる可変表示制御手段（例えば、演出制御手段におけるステップＳ７０５の演出制御プロセス処理を実行する部分とＧＣＬ１０６）と、可変表示手段に表示される所定の特典画像の数をカウントする特典カウンタ（例えば、ＲＡＭ１２３に形成される特典カウンタ）と、特典カウンタのカウント値を特定可能に報知するカウント報知手段（例えば、演出制御手段におけるステップＳ８８４の処理を実行する部分およびＧＣＬ１０６、特に、特典カウンタの値を表示するように指示する部分）と、特典カウンタのカウント値と表示制御コマンド受信手段が受信した表示制御コマンドとにもとづいて、特典カウンタの値を増加、減少または維持させるかを選択するカウンタ値更新選択手段（例えば、演出制御手段におけるステップＳ８０１の特典演出選択処理を実行する部分）と、可変表示手段においてカウンタ値更新選択手段による特典カウンタの値の増加、減少または維持を報知する演出を行う報知演出手段（例えば、演出制御手段におけるステップＳ８８４の処理を実行する部分およびＧＣＬ１０６）とを含み、可変表示演出態様選択手段が、第２可変表示演出態様にもとづいて識別情報の可変表示が行われたときと比較して、第１可変表示演出態様にもとづいて識別情報の可変表示が行われたときの方が高確率で特定表示結果となるように、決定用データ（例えば、変動パターン決定用乱数の値）が第１可変表示演出態様と第２可変表示演出態様とに割り振られている決定用データテーブル（例えば、図１５に例示するような、大当り時にはスーパーリーチＡ，Ｂそれぞれに４９個、４３個の判定値が割り振られ、非大当り時にはスーパーリーチＡ，Ｂそれぞれに１個、３個の判定値が割り振られた変動パターンテーブル）を用いて、可変表示演出態様を選択し、カウンタ値更新選択手段が、複数の可変表示部における識別情報の組み合わせが特定表示結果の一部を構成しているが少なくとも一部の可変表示部において識別情報が可変表示中であるリーチ態様の識別情報の可変表示が行われるときに、特典カウンタの値を増加させることを選択可能であり（例えば、図２１に例示するスーパーリーチＡ（非確変大当り）のテーブルにおける、特典画像の数が所定値５になるように定められた部分（乱数値３に対応する部分）参照）、事前決定手段が特定表示結果としないことに決定して第１可変表示演出態様にもとづく識別情報の可変表示が行われるときには、事前決定手段が特定表示結果としないことに決定して第２可変表示演出態様にもとづく識別情報の可変表示が行われるときに比べて、高い割合で特典カウンタの値を減少させることを選択する（図２１に例示するような、スーパーリーチＢ（はずれ）のテーブルよりも、特典画像を減少させる割合が高く設定されているスーパーリーチＡ（はずれ）のテーブル参照）ことを特徴とする。なお、第１可変表示演出態様、第２可変表示演出態様の例として、それぞれスーパーリーチＡ、スーパーリーチＢを例示したが、第１可変表示演出態様、第２可変表示演出態様は、リーチ演出を伴わないものであってもよい。そのような構成により、事前決定手段が特定表示結果としないことに決定して第１可変表示演出態様にもとづく識別情報の可変表示が行われるときには、事前決定手段が特定表示結果としないことに決定して第２可変表示演出態様にもとづく識別情報の可変表示が行われるときに比べて、高い割合で特典カウンタの値を減少させることを選択するように構成されているので、高確率で特定表示結果となる可変表示演出態様が生じても特典画像の数が減ってしまうという不安感を与えつつ可変表示演出態様の演出が行われるので、遊技者に可変表示演出態様を強く意識させることができる。